(57)【要約】【課題】バッグを自立するための機材が積荷の邪魔にならないようにし、また排出後、積荷がバッグの底部四隅に残りにくくすること。【解決手段】シート製のバッグ本体を、前後左右の四側面の側辺同士を、これら側面よりも巾の狭い隅角面を介して接続することにより、全体を四角筒の四隅部を切除した形状に形成する。さらにこれら隅角面の外側に剛性を有する帯板状の支柱をバッグ本体の高さ方向に取り付ける。バッグ本体の四側面の外側中央にも補強体を取り付ける。これら支柱や補強体を中空プラスチック構造板により形成し、中空部には棒状の芯材を挿通する。【選択図】図１
2015182787.tif 000002
【特許請求の範囲】
【請求項１】
シート製のバッグ本体を、前後左右の四側面の側辺同士を側面よりも巾
の狭い隅角面を介して接続することにより、全体を四角筒の四隅部を切除した形状に形成し、
これら隅角面の外側に剛性を有する帯板状の支柱をバッグ本体の高さ方向に取り付けると共に、バッグ本体の上面には積み荷の投入口を、底面には開閉可能な排出口を、それぞれ設けてなる自立型フレコン。
【請求項２】
シート製のバッグ本体を、前後左右の四側面の側辺同士を側面よりも巾
の狭い隅角面を介して接続することにより、全体を四角筒の四隅部を切除した形状に形成し、
これら隅角面の外側には剛性を有する帯板状の支柱をバッグ本体の高さ方向に取り付けると共に、
バッグ本体の四側面の外側中央には剛性を有する帯板状の補強体をバッグ本体の巾方向に取り付け、
さらにバッグ本体の上面には積み荷の投入口を、底面に開閉可能な排出口を、それぞれ設けてなる自立型フレコン。
【請求項３】
バッグ本体の前記投入口の開口縁に添って補強ロッドを装着すると共に、投入口の対向する四隅部同士を緊張紐により対角線状に締結してなる前記請求項1又は２記載の自立型フレコン。
【請求項４】
バッグ本体の前記投入口の開口縁に筒型の飛散防止カバーを連設し、その上端のカバー開口の口縁に添って締結紐を取り付けて、カバー開口を巾着式に閉鎖するようにしてなる請求項１〜３に記載の自立型フレコン。
【請求項５】
前記隅角面に帯布の両側辺を接続して筒状の支柱収容部を形成し、その底部を閉鎖する一方、上部は開放し、この開放した上部より前記支柱を支柱収容部内に挿入してなる請求項１〜４に記載の自立型フレコン。
【請求項６】
前記支柱の上端に支柱収容部の上方に突き出る突出部を支柱と一体的に形成し、バッグ本体に備える左右１対の締結テープをこの突出部の周囲に巻き付けて締結するようにして突出部を固定することを特徴とする請求項５に記載の自立型フレコン。
【請求項７】
前記支柱収容部の外側中央に把持部を取り付けてなる請求項５または６に記載の自立型フレコン。
【請求項８】
前記支柱が長方形の中空プラスチック構造板であることを特徴とする請求項１〜７記載の自立型フレコン。
【請求項９】
前記中空プラスチック構造板の中空部に棒状の芯材を挿通することを特徴とする請求項８記載の自立型フレコン。
【発明の詳細な説明】
【技術分野】
【０００１】
穀物の大量移送に用いるコンテナバッグは、シート製で折り畳めることから、フレキシブルコンテナ略してフレコンと呼ばれている。フレコンは、金属や木製の箱形コンテナと違って、積荷が空のときは自重でつぶれてしまうため、中に物を入れにくい。そこでバッグに支柱を添わせ、空のときでもつぶれないように、バッグを自立させて、入れ物としての形状を維持するようにしたものがある。これを自立型のフレコンと称する。本発明は、そのような種類のコンテナバッグの改良に関する。
【背景技術】
【０００２】
この分野の従来例としては特許文献１がある。これはバッグの内部に弾力に富む細い棒材をたわんだ状態で対角線上に４本張り渡し、これらの両端でバッグを内側から外方に突っ張ってバッグの形状を箱状に維持する。棒材はバッグに容易に取り付けたり取り外したりでき、また軽量でもあるので、運搬や格納に都合がいい。
ところがこの従来例では、バッグの内部に棒材を配備するため、穀物の投入や排出の邪魔になったり、投入時の穀物の衝撃で棒材が折れ曲がったりすることがあるうえ、排出時に穀物が全部出切らずにバッグの底部四隅に残り、腐敗やネズミの害にあいやすく不衛生であるという問題があった。
【先行技術文献】
【特許文献】
【０００３】
【特許文献１】特許第3828266号
【発明の概要】
【発明が解決しようとする課題】
【０００４】
本発明は、このような従来例を改良するもので、バッグの形状を保持するための機材をバッグの内側でなく外側に配備して邪魔にならないようにし、またバッグの形状を改良して、排出の際、底部の四隅に積荷が残りにくくした丈夫な構造の自立型フレコンを提供することを目的とする。
【課題を解決するための手段】
【０００５】
請求項１の自立型フレコンは、シート製のバッグ本体を、前後左右の四側面の側辺同士を、これら側面よりも巾の狭い隅角面を介して接続することにより、全体を四角筒の四隅部を切除した形状に形成し、これら隅角面の外側に剛性を有する帯板状の支柱をバッグ本体の高さ方向に取り付けると共に、バッグ本体の上面には積み荷の投入口を、底面には開閉可能な排出口を、それぞれ設けて構成する。
【０００６】
請求項２の自立型フレコンは、シート製のバッグ本体を、前後左右の四側面の側辺同士を、これら側面よりも巾の狭い隅角面を介して接続することにより、全体を四角筒の四隅部を切除した形状に形成し、これら隅角面の外側には剛性を有する帯板状の支柱をバッグ本体の高さ方向に取り付けると共に、バッグ本体の四側面の外側中央には剛性を有する帯板状の補強体をバッグ本体の巾方向に取り付け、さらにバッグ本体の上面には積荷の投入口を、底面に開閉可能な排出口を、それぞれ設けて構成する。
【０００７】
請求項３の自立型フレコンは、前記請求項1又は２において、バッグ本体の投入口の開口縁に添って補強ロッドを装着すると共に、投入口の対向する四隅部同士を緊張紐により対角線状に締結することを特徴とする。
【０００８】
請求項４の自立型フレコンは、請求項１〜３において、バッグ本体の投入口の開口縁に筒型の飛散防止カバーを連設し、その上端のカバー開口の口縁に添って締結紐を取り付けて、カバー開口を巾着式に閉鎖することを特徴とする。
【０００９】
請求項５の自立型フレコンは、請求項１〜４において、隅角面に帯布の両側辺を接続して筒状の支柱収容部を形成し、その底部を閉鎖する一方、上部は開放し、この上部より前記支柱を支柱収容部内に挿入することを特徴とする。
【００１０】
請求項６の自立型フレコンは、請求項５において、支柱の上端に支柱収容部の上方に突き出る突出部を支柱と一体的に形成し、バッグ本体に備える左右１対の左右締結テープを突出部の周囲に巻き付けて互いを締結して支柱を固定することを特徴とする。
【００１１】
請求項７の自立型フレコンは、請求項５または６において、支柱収容部の外側中央に把持部を取り付けることを特徴とする。
【００１２】
請求項８の自立型フレコンは、請求項１〜７において、支柱が中空プラスチック構造板であることを特徴とする。
【００１３】
請求項９の自立型フレコンは、請求項８において、中空プラスチック構造板の中空部に棒状の芯材を挿通することを特徴とする。
【発明の効果】
【００１４】
請求項１では、シート製のバッグ本体を全体が四角筒の四隅部を切除した形状に形成するので、バッグ本体内部の底面隅部に積荷が残留しにくい効果がある。積荷が穀物の場合、バッグ内に残ると腐敗やネズミの害にあいやすく不衛生であるが、本発明によれば、穀物が残留しにくいため、そのような不都合がない。加えて隅角面の外側に支柱をバッグ本体の高さ方向に添い取り付けるので、支柱が積荷の投入排出の邪魔にならないばかりでなく、空荷のときもこれら支柱がバッグ本体の形状をよく維持でき、積荷を積み込みやすいという効果を有する。
【００１５】
請求項２では、請求項1に加え、バッグ本体の四側面の外側中央に補強体をバッグ本体の巾方向に取り付けるので、バッグの側面をよく補強するだけでなく、縦方向の支柱と協働して空荷のときバッグがつぶれないようその形状をよく維持してバッグを自立するという効果を奏する。バッグが大容量で大型になるほど、この補強体の自立効果は大きい。
【００１６】
請求項３では、バッグ本体の投入口の開口縁に添って補強ロッドを装着したうえで、投入口の対向する四隅部同士を緊張紐により対角線状に締結するので、投入口が開いたままその形状を正しく保ち、積荷を投入しやすいという効果を奏する。
【００１７】
請求項４では、バッグ本体の投入口の開口縁に筒型の飛散防止カバーを連設するので、締結紐でカバー開口を巾着式に閉鎖することにより、投入口全体を飛散防止カバーで覆うことができる。このため投入口近くまで積荷を満杯に収容しても、バッグの移送中、積荷が風や振動などで飛散したり、バッグ本体の外にこぼれたりしない、という効果を奏する。
【００１８】
請求項５では、隅角面に形成した支柱収容部に支柱を挿入するので、支柱の取り付けが容易で、且つ折損した場合の交換もしやすいという効果を奏する。
【００１９】
請求項６では、支柱の上端に帯板収容部の上方に突き出る突出部を一体的に形成し、これに左右１対の締結テープを巻き付けるようにして突出部を固定するので、支柱を支柱収容部に確実に収容でき、支柱が使用中みだりに支柱収容部から抜け出ることがないという効果を奏する。
【００２０】
請求項７では、支柱収容部の外側中央に把持部を取り付けるので、ここを持ってバッグ本体を容易に折りたたむことができるという効果を奏する。
【００２１】
請求項８では、支柱が長方形の中空プラスチック構造板であるから、軽量且つ堅固であるという効果を有する。
【００２２】
請求項９では、中空プラスチック構造板の中空部に棒状の芯材を挿通するので、支柱の強度がいっそう向上するという効果を奏する。
【図面の簡単な説明】
【００２３】
【図１】本発明の実施形態の自立型フレコンの概略を示す全体図
【図２】図1の要部を示す平面図
【図３】図1の緊張紐の使用状態を示す平面図
【図４】図3の緊張紐の使用方法を説明するための平面図
【図５】図1のフレコンに積荷を搭載した状態を示す全体図
【図６】図５のＡ−Ａ線に沿う拡大断面図
【図７】図1のフレコンに積荷を搭載して釣り上げた状態の正面図
【図８】図7のフレコンの排出口を開いた状態の正面図
【図９】図1のフレコンの支柱収容部に支柱を挿入する工程の説明図
【図１０】図９の工程で支柱を挿入した状態の説明図
【図１１】図10のＢ−Ｂ線に沿う拡大断面図
【図１２】図９とは別の実施形態の支柱収容部の正面図
【図１３】図１のフレコンに装着する支柱の固定前の上部拡大斜面図
【図１４】図１３の支柱の固定後の上部拡大斜面図
【図１５】図14のＤ−Ｄ線に沿う断面図
【図１６】図１の飛散防止カバーを折り畳んで全開したときの投入口断面図
【図１７】図１のフレコンをトラックの荷台に複数個積載した状態を示す平面図
【発明を実施するための形態】
【００２４】
次に本発明の実施形態を説明する。
１はバッグ本体で、織布またはフィルムなどの軟質で折り曲げやすいシート製で、メッシュのように小さい孔を無数に明けても、孔がなくてもよい。
容量は少なくも数百リットルあり、大きいものは２０００リットル程度ある。これに籾を満杯に入れた場合、総重量は数百キロ以上になり、容量１６００リットルのものでは１トンになる。積荷は、籾のような穀物のほか、木屑、砂、小石など粉もしくは粒状物であれば種類は問わない。形状は、ほぼ立方体で、1辺の長さが９０ｃｍ〜１１０ｃｍ程度である。
【００２５】
２はバッグ本体１の前後左右を囲む側面で、その縦の側辺と側辺の間の隅角面３を介して筒状に接続する。隅角面３は、巾が側面２よりも狭く、全体が帯状になっている。このためバッグ本体１は、四角筒の四隅部を切除した形状を呈する。
この特徴的形状は、図2に明らかである。図2はバッグ本体１の概略平面図で、開口した上面の投入口４からバッグ本体１の内部を覗いた状態を示す。５は底面で、６は排出口を示す。
【００２６】
隅角面３にはその外側に添って支柱７を取り付ける。支柱７は剛性を有する帯板状で、一体押出法で成形した中空プラスチック構造板が好適である。中空プラスチック構造板は、プラダン（プラスチック段ボール）とも通称され、ベニヤ板の代替品として物流の通函等に広く使用されている。性質は、軽量且つ強靭で緩衝性に優れている。断面構造は、図11のとおり、表裏二枚の薄板を平行なリブで接続した構造で、これにより縦方向の多数の中空部７aを有する。これを一定の巾で裁断し帯状板にして支柱7を形成する。中空部7aにプラスチック製の棒状の芯材８を挿通すると、さらに強靭になる。芯材８の太さを中空部7aの内径に近く形成すると、挿通するだけで支柱7に固定でき、組み立てに手間がいらない。
【００２７】
９は帯布で、その両側辺を隅角面に縫着するなどして接続し、これにより筒状の支柱収容部１０を形成し、これに支柱７を収容する。支柱収容部１０の底部は縫付けて恒久的に閉鎖するか、面ファスナ付きのテープ１１で開閉自在に閉鎖する。テープ１１はバッグ本体１の角部の補強も兼ねている。
【００２８】
12は支柱７の上端に支柱7と一体的に形成した突出部で、これを支柱収容部１０の上方に突き出す（図10）。１３，１４はバッグ本体１に縫い付けた左右1対の左右締結テープで、これらを突出部１２の周囲に巻き付け、面ファスナにより締結する。これにより支柱７を、支柱収容部１０からみだりに抜けないように、バッグ本体１の高さ方向に取り付ける。
１５は突出部１２とほぼ同一巾を有する突出部被覆布で、基端側をバッグ本体１に固着し、その反対側が遊離端になっている。これで突出部１２の上端面全体を被覆し、その上から左右締結テープ１３，１４を巻き付ける（図１４）。その結果、突出部１２の上端面が露出するのが防止され、穀物などが中空部に侵入するのを確実に阻止できる。
さらに１６、１７はバッグ本体１に縫い付けた上下1対の上下締結テープで、
そのうちの上締結テープ１７は基端側を投入口４の内側に固着してあり、折り畳んだ状態の飛散防止カバー２４の上を越えて投入口４の外側においてその遊離端を下締結テープ１６に重ねて面ファスナで締結する（図１６）。このように上下締結テープ１６，１７により、飛散防止カバー２４を束ねて全開状態に保つ。
【００２９】
１８a，１８bは、図2において省略した緊張紐で、投入口４の開口縁に添って装着した補強ロッド２１（図6）と協働して、投入口４を開口状態に保持する。緊張紐１８a，１８bの端部は投入口４の四隅部に固着し、積荷を投入するときは対角線状に締結し、バッグ本体１を折りたたむときは、図4のように、中央の連結具２０を切り離す。
【００３０】
２１は支柱収容部１０の外側中央に取り付けたテープ状の把持部で、ここを持てば、大型のバッグ本体１も簡単に折りたたむことができ便利が良い。
２２は支柱収容部１０を側面２の中央に取り付けた補強体で、支柱７と同様の中空プラスチック構造板により構成し、支柱収容部１０と同様の補強体収容部２３に収容して支柱収容部１０の巾方向に取り付ける。補強体２２により側面２が補強できるばかりでなく、空荷のときバッグがつぶれないようその形状をよく維持してバッグを自立する。
このようにバッグ本体１は全体が四角筒の四隅部を切除した形状であるため、円筒形のものに比較して、トラックＴでバッグ本体１を運ぶ場合、荷台に隙間なく並べて積載でき効率が良いという効果がある（図１７）。
【００３１】
２４は投入口４の開口縁に連設した飛散防止カバーで、積荷を積み込むときは邪魔にならないように投入口４の開口縁に重ねて畳むが、積み込みがすんだら、上下締結テープ１６、１７の締結を解いて、図1のように上方に引き延ばし、さらにカバー開口の口縁に添って取り付けた締結紐２５を絞ってカバー開口を巾着式に閉じる（図５）。これにより満杯に積み込んでも、穀物などが風で吹き飛んだり移送中の振動で外にこぼれたりするのを防ぐことができる。
【００３２】
26は吊り紐で、バッグ本体１の上部四隅に連結環２７を介して左右1対連結し、これにクレーンのフックＦを引っかけて持ち上げ、トラックの荷台などに積載する。
そのとき折りたたんで閉じた筒状の排出口６を、底面に備える排出口押えカバー２８で被覆して、排出口６が積荷の重圧で開かないように閉鎖しておく（図７）。
積荷を排出するときは、排出口押えカバー２８の面ファスナ２９をはがして排出口６を開け、積荷の自重で外に出す。
【符号の説明】
【００３３】
１はバッグ本体
２はその側面
３はその隅角面
４は投入口
５は底面
６は排出口
７は支柱
８は芯材
９は帯布
１０は支柱収容部
１２は突出部
１３，１４は左右締結テープ
１６、１７は上下締結テープ
１８a，１８bは緊張紐
２０は連結具
２１は把持部
２２は補強体
２３は補強体収容部
２４は飛散防止カバー
２６は吊り紐
２８排出口押えカバー
【図１】
2015182787.tif 000003
【図２】
2015182787.tif 000004
【図３】
2015182787.tif 000005
【図４】
2015182787.tif 000006
【図５】
2015182787.tif 000007
【図６】
2015182787.tif 000008
【図７】
2015182787.tif 000009
【図８】
2015182787.tif 000010
【図９】
2015182787.tif 000011
【図１０】
2015182787.tif 000012
【図１１】
2015182787.tif 000013
【図１２】
2015182787.tif 000014
【図１３】
2015182787.tif 000015
【図１４】
2015182787.tif 000016
【図１５】
2015182787.tif 000017
【図１６】
2015182787.tif 000018
【図１７】
2015182787.tif 000019